【手続補正書】
【提出日】平成22年12月10日(2010.12.10)
【手続補正１】
【補正対象書類名】明細書
【補正対象項目名】０００３
【補正方法】変更
【補正の内容】
【０００３】
一方、使用者がマニュアルフォーカスを行う場合に、マニュアルフォーカス操作をサポートするためのガイド画像（フォーカスガイド画像）を表示することで、使用者にマニュアルフォーカスを容易に行わせることができる。特許文献２〜４には、フィルムカメラの光学ファインダに採用される場合が多かったスプリットイメージに相当するフォーカスガイド画像（以下、これをスプリットイメージという）を電子的に生成して電子ファインダ上に表示する撮像装置が開示されている。
【手続補正２】
【補正対象書類名】明細書
【補正対象項目名】００２５
【補正方法】変更
【補正の内容】
【００２５】
位相差、すなわちずれを持った２つの像を発生させるためには、撮像光学系からの光束を、該撮像光学系１０１の瞳のうち互いに異なる領域（互いに異なる瞳）を通る光束Ｌ１及び光束Ｌ２（図３，図４参照）に分離する必要がある。本実施例では、撮像素子１０２上に瞳分離機能を持った焦点検出用画素ａ，ｂを配置することで、光束Ｌ１及び光束Ｌ２を生成する。
【手続補正３】
【補正対象書類名】明細書
【補正対象項目名】００２７
【補正方法】変更
【補正の内容】
【００２７】
このような構造により、焦点検出用画素Ｓ１において光電変換部６０３に到達する光束Ｌ１と、焦点検出用画素Ｓ２において光電変換部６０３に到達する光束Ｌ２は、互い異なる瞳からの光束、すなわち瞳分割された光束となる。言い換えれば、撮像光学系を焦点検出用画素Ｓ１から見た場合と焦点検出用画素Ｓ２から見た場合とで、撮像光学系の瞳が対称に分割されたことと等価となる。光束Ｌ１と光束Ｌ２は、それぞれが到達する光電変換部６０３を重ねて見たときに、その中心に対して対称となる位置に被写体像を形成する。
【手続補正４】
【補正対象書類名】明細書
【補正対象項目名】００３９
【補正方法】変更
【補正の内容】
【００３９】
また、図１において、１１２は画像処理部である。画像処理部１１２は、マニュアルフォーカスモードが設定されている場合に、瞳分割像取得部１１０により生成されたＡ画像データ及びＢ画像データからスプリットイメージを生成する処理を行う。スプリットイメージの生成に先だって、画像処理部１１２は、信号処理部１０４によって生成された本画像から瞳分割像としてのＡ像及びＢ像のずれ量（言い換えれば、Ａ画像データ及びＢ画像データのずれ量）に基づいて色情報を抽出し、該色情報をＡ画像データ及びＢ画像データに合成する。色情報は、本画像に対するＡ像、Ｂ像のそれぞれのずれ量（各瞳分割像のずれ量）に対応した位置に付加される。
【手続補正５】
【補正対象書類名】明細書
【補正対象項目名】００４０
【補正方法】変更
【補正の内容】
【００４０】
これにより、色情報が付加されたＡ画像データ及びＢ画像データからスプリットイメージが生成される。言い換えれば、画像処理部１１２は、スプリットイメージに、瞳分割像のずれ量に基づいて本画像から抽出した色情報を付加する。演算部１１１及び画像処理部１１２によりスプリットイメージ生成手段が構成される。
【手続補正６】
【補正対象書類名】明細書
【補正対象項目名】００４３
【補正方法】変更
【補正の内容】
【００４３】
９０１は信号処理部１０４によって生成された本画像である。９０２，９０３は瞳分割像取得部１１０により生成されたＡ画像データ及びＢ画像データ（ただし、スプリットイメージの生成に用いられる部分のデータ）である。Ａ画像データ９０２及びＢ画像データ９０３に、本画像９０１から抽出した色情報を合成することによって、カラーのＡ画像データ９０４及びＢ画像データ９０５が得られる。画像処理部１１２は、カラーのＡ画像データ９０４及びＢ画像データ９０５を用いてスプリットイメージを生成し、それを画像合成部１０５によって本画像内（第３の画像内）の対応する被写体領域に重ね合わせる。これにより、カラーのスプリットイメージ９１１を含む本画像としての表示画像９１０が得られる。
【手続補正７】
【補正対象書類名】明細書
【補正対象項目名】００４４
【補正方法】変更
【補正の内容】
【００４４】
図１０には、カメラのレリーズボタン（図示せず）が操作されて焦点検出を行い、スプリットイメージを有する表示画像が表示されるまでの処理（画像表示方法）の流れを示すフローチャートを示す。ここでは、フォーカスモードスイッチ１２０によってマニュアルフォーカスモードが設定されている場合の処理を示す。
【手続補正８】
【補正対象書類名】明細書
【補正対象項目名】００４５
【補正方法】変更
【補正の内容】
【００４５】
ステップＳ１００１において、使用者によりレリーズボタン（ＳＷ１）が操作（半押し操作）されると、ステップＳ１００２に進み、演算部１１１によって、焦点検出対象となっている被写体領域における瞳分割像としてのＡ像及びＢ像のずれ量が算出される。焦点検出対象となる被写体領域は、使用者のスイッチ操作を通じた選択により又はカメラの自動的な選択動作によって設定される。以下の説明においてＡ像及びＢ像とは、この焦点検出対象となっている被写体領域におけるＡ像及びＢ像を意味する。
【手続補正９】
【補正対象書類名】明細書
【補正対象項目名】００４７
【補正方法】変更
【補正の内容】
【００４７】
図１１には、Ａ像及びＢ像のずれ量に基づいて本画像から色情報を抽出し、Ａ画像データ及びＢ画像データに付加する方法を示す。
【手続補正１０】
【補正対象書類名】明細書
【補正対象項目名】００４８
【補正方法】変更
【補正の内容】
【００４８】
図１１の左図に示す１１０１はＡ画像データ上のある画素（Ａ画素）を示す。１１０２は図１１の右図に示す本画像上の画素であって、Ａ画素１１０１の位置に一致する位置から上記ずれ量に相当する画素数だけシフトした位置に存在する画素である。画像処理部１１２は、この画素１１０２の色情報を抽出する。そして、ステップＳ１１０４で、画像処理部１１２は、この抽出した色情報をＡ画素１１０１に付加する。
【手続補正１１】
【補正対象書類名】明細書
【補正対象項目名】００４９
【補正方法】変更
【補正の内容】
【００４９】
すなわち、Ａ画像データ上の画素１１０１に一致する本画像上の画素から、Ａ像及びＢ像のずれ量に相当する画素数だけシフトした位置にある本画像上の画素１１０２の色情報を抽出し、その色情報をＡ像上の画素１１０１に付加する。
【手続補正１２】
【補正対象書類名】明細書
【補正対象項目名】００５０
【補正方法】変更
【補正の内容】
【００５０】
このような色情報の抽出及び付加をＡ画像データ及びＢ画像データを構成する全ての画素に対して行うことで、カラーのＡ画像データ及びＢ画像データが生成される。
【手続補正１３】
【補正対象書類名】明細書
【補正対象項目名】００５１
【補正方法】変更
【補正の内容】
【００５１】
次にステップＳ１００５では、画像処理部１１２は、必要に応じてカラーのＡ画像データ及びＢ画像データに対する表示変更処理を行う。表示変更処理とは、Ａ画像データ及びＢ画像データ（つまりは、スプリットイメージ）における色濃度、輝度、表示色及び形状のうち少なくとも１つを変更する処理である。例として、合焦状態に近いほどＡ画像データ及びＢ画像データの色濃度を濃くしたり、非合焦状態（ずれ量が所定値より大きい状態）ではＡ画像データ及びＢ画像データを点滅させたりするとよい。
【手続補正１４】
【補正対象書類名】明細書
【補正対象項目名】００５２
【補正方法】変更
【補正の内容】
【００５２】
ステップＳ１００６では、画像処理部１１２は、色情報が付加されて必要に応じて表示変更処理がなされたＡ画像データ及びＢ画像データをそれらの分割方向（図９では上下方向）に並べてスプリットイメージ（ＳＩ）９１１を生成する。ステップＳ１００１〜ステップＳ１００６の処理は、焦点検出対象となる被写体領域が複数ある場合には、該被写体領域ごとに行われ、複数のスプリットイメージが生成される。
【手続補正１５】
【補正対象書類名】明細書
【補正対象項目名】００５４
【補正方法】変更
【補正の内容】
【００５４】
以上説明したように、本実施例によれば、Ａ画像データ及びＢ画像データから生成したスプリットイメージに、Ａ像及びＢ像のずれ量に基づいて本画像から抽出した色情報を付加する。これにより、特殊な素子を使用することなく、スプリットイメージを違和感なく含む画像を表示部１０６に表示することができる。また、スプリットイメージは、撮像素子１０２上に離散的に配置された焦点検出用画素を用いて生成されたＡ画像データ及びＢ画像データによって生成されるので、本画像上のいずれの位置にも表示させることができる。したがって、距離が異なる複数の被写体が存在する場合でも、該被写体ごとにスプリットイメージを表示することができる。
【手続補正１６】
【補正対象書類名】明細書
【補正対象項目名】００５５
【補正方法】変更
【補正の内容】
【００５５】
さらに、表示変更処理を施しながらスプリットイメージを表示させることにより、撮像光学系１０１の焦点状態を容易に確認しながらマニュアルフォーカス操作を行うことができる。
【手続補正１７】
【補正対象書類名】明細書
【補正対象項目名】００５６
【補正方法】変更
【補正の内容】
【００５６】
なお、本実施例では、Ａ画像データ及びＢ画像データに対して本画像から抽出した色情報を付加した後に該Ａ画像データ及びＢ画像データからスプリットイメージを生成する場合について説明した。しかし、Ａ画像データ及びＢ画像データからまずスプリットイメージを生成し、その後、本画像から抽出した色情報を該スプリットイメージに付加してもよい。これらいずれの場合でも、スプリットイメージに色情報を付加することに含まれる。
【手続補正１８】
【補正対象書類名】明細書
【補正対象項目名】００６２
【補正方法】変更
【補正の内容】
【００６２】
非合焦状態の場合は、ステップＳ１３１０に進み、画像処理部１１２は、Ａ画像データ及びＢ画像データからスプリットイメージ（ＳＩ）を生成する。これにより、色情報を持たない白黒のスプリットイメージが生成される。そして、ステップＳ１３１１において、実施例１で説明した表示変更処理を行う。
【手続補正１９】
【補正対象書類名】明細書
【補正対象項目名】００６３
【補正方法】変更
【補正の内容】
【００６３】
一方、合焦状態の場合は、ステップＳ１３０４において、画像処理部１１２は、色情報を持ったスプリットイメージ（ＳＩ）を生成する。このとき、実施例１のステップＳ１００３〜Ｓ１００６にて説明したように、Ａ画像データ及びＢ画像データに本画像から抽出した色情報を付加してスプリットイメージを生成してもよいし、Ａ画像データ及びＢ画像データを用いずに本画像からスプリットイメージを生成してもよい。いずれの場合でも、色情報を持ったカラーのスプリットイメージが生成される。